(57)【要約】【課題】従来１０秒程度であった読取時間を１秒程度に大幅な短縮することが可能であるイメージセンサモジュールおよびこれを用いた画像読取装置を提供すること。【解決手段】基板１と、基板１に搭載されており、原稿Ｄｃに対して光を出射する発光手段４と、基板１に搭載されており、原稿Ｄｃによって反射された上記光を受光する光電変換手段と、基板１に搭載されており、原稿Ｄｃの像を上記光電変換手段に結像させる光学系と、を備えたイメージセンサモジュールＡ１であって、上記光電変換手段は、マトリクス状に配置された複数の受光要素を備える撮像素子２であり、上記光学系は、入射面が中心から周部に向うにつれ曲率が大きくなる非球面となったレンズを含むレンズ群を備えることにより、広角かつ歪が小である結像を可能に構成されたレンズユニット３である。【選択図】  図１
2007235942.tif 000002
【特許請求の範囲】
【請求項１】
基板と、
上記基板に搭載されており、読取対象物に対して光を出射する発光手段と、
上記基板に搭載されており、上記読取対象物によって反射された上記光を受光する光電変換手段と、
上記基板に搭載されており、上記読取対象物の像を上記光電変換手段に結像させる光学系と、
を備えたイメージセンサモジュールであって、
上記光電変換手段は、マトリクス状に配置された複数の受光要素を備える撮像素子であり、
上記光学系は、入射面が中心から周部に向うにつれ曲率が大きくなる非球面となったレンズを含むレンズ群を備えることにより、広角かつ歪が小である結像を可能に構成されたレンズユニットであることを特徴とする、イメージセンサモジュール。
【請求項２】
上記基板は、長矩形状とされており、
上記撮像素子および上記レンズユニットは、上記基板の中央寄りに配置されており、
上記発光手段は、上記基板の両端寄りに配置された１対の光源によって構成されている、請求項１に記載のイメージセンサモジュール。
【請求項３】
上記各光源は、複数のＬＥＤ素子を含んでいる、請求項２に記載のイメージセンサモジュール。
【請求項４】
上記レンズユニットは、画角が１５０°以上の上記レンズ群を備え、かつその歪が±２％以下である、請求項１ないし３のいずれかに記載のイメージセンサモジュール。
【請求項５】
上記レンズ群は、複数枚の発散レンズからなる発散レンズ群を含んでおり、
上記発散レンズは、凹レンズであるとともに、各々の凹レンズの入射面が中心から周部に向うほど曲率が大きくなる非球面であり、かつ出射側が実質的に凹球面である、請求項４に記載のイメージセンサモジュール。
【請求項６】
上記発散レンズ群は、３枚の発散レンズによって構成されている、請求項５に記載のイメージセンサモジュール。
【請求項７】
請求項１ないし６のいずれかに記載のイメージセンサモジュールを備えていることを特徴とする、画像読取装置。
【請求項８】
上記レンズユニットに対して上記発光手段よりも離間した位置に配置された反射部材またはプリズムを備えている、請求項７に記載の画像読取装置。
【発明の詳細な説明】
【技術分野】
【０００１】
本発明は、イメージセンサモジュールおよびこれを用いた画像読取装置に関する。
【背景技術】
【０００２】
原稿などに記載された内容を画像データとして読み取るには、一般的にイメージセンサモジュールを搭載した画像読取装置が用いられている。図６は、従来のイメージセンサモジュールＸおよびこれを用いた画像読取装置Ｙを示している。同図に示された画像読取装置Ｙは、読取対象物である原稿Ｄｃに記載された内容を透過方式によって読み取る装置である。画像読取装置Ｙのケース９６には、イメージセンサモジュールＸおよび制御ＩＣ９３が収容されている。イメージセンサモジュールＸは、ケース９６内を駆動手段（図示略）によって図中左右方向に走査可能とされており、光学ユニット９１および撮像素子９２を備えている。光学ユニット９１は、複数のミラーと本図の奥行き方向に配列された複数のロッドレンズとを具備しており、イメージセンサユニットＸの図中上方から向かってきた光を反射させた後に撮像素子９２上に結像するためのものである。撮像素子９２は、本図の奥行き方向に配列された複数の受光要素からなる受光部を備えており、この受光部によって受光された光に応じた電気信号を出力する光電変換機能を発揮する構成とされている。このような構成により、イメージセンサモジュールＸは、本図の奥行き方向に延びる光を同時に受光可能とされている。イメージセンサモジュールＸは、フレキシブルケーブル９４を介して制御ＩＣ９３と接続されている。
【０００３】
ケース９６の図中上面には、原稿Ｄｃがセットされる。原稿Ｄｃの上方には透過光源９５が配置されている。透過光源９５から光が照射されると、この光は原稿Ｄｃを透過して図中下方へと進む。上記光は、原稿Ｄｃを透過すると原稿Ｄｃの記載内容によってその彩度や明度が変更される。イメージセンサモジュールＸを図中左右方向に走査させると、イメージセンサＸは、原稿Ｄｃを透過してきた光の一部を線状光として受光することを連続的に行う。イメージセンサモジュールＸを原稿Ｄｃの一端から他端まで走査させると、制御ＩＣ９３によりイメージセンサモジュールＸの出力信号から画像データが復元される。以上より、原稿Ｄｃの記載内容を画像データとして読み取ることができる。
【０００４】
しかしながら、イメージセンサモジュールＸは、線状光を受光する構成であるために、２次元的な記載内容を有する原稿Ｄｃを読み取るには、イメージセンサモジュールＸを画像読取装置Ｙ内において走査させる必要がある。このため、原稿Ｄｃを読み取るには、最低でもイメージセンサモジュールＸを原稿Ｄｃの一端から他端まで走査させる時間を要する。したがって、画像読取装置Ｙにおいては、読取速度の向上を図ることが困難であった。また、イメージセンサモジュールＸの走査には、上述した駆動手段としてたとえばサーボモータやボールネジなどが用いられる。このような駆動手段を収容するため、ケース９６が嵩張るものとなってしまう。
【０００５】
【特許文献１】特開２００３−１２５１７６号公報
【発明の開示】
【発明が解決しようとする課題】
【０００６】
本発明は、上記した事情のもとで考え出されたものであって、読取時間の大幅な短縮化が可能であるイメージセンサモジュールおよびこれを用いた画像読取装置を提供することをその課題とする。
【課題を解決するための手段】
【０００７】
本発明の第１の側面によって提供されるイメージセンサモジュールは、基板と、上記基板に搭載されており、読取対象物に対して光を出射する発光手段と、上記基板に搭載されており、上記読取対象物によって反射された上記光を受光する光電変換手段と、上記基板に搭載されており、上記読取対象物の像を上記光電変換手段に結像させる光学系と、を備えたイメージセンサモジュールであって、上記光電変換手段は、マトリクス状に配置された複数の受光要素を備える撮像素子であり、上記光学系は、入射面が中心から周部に向うにつれ曲率が大きくなる非球面となったレンズを含むレンズ群を備えることにより、広角かつ歪が小である結像を可能に構成されたレンズユニットであることを特徴としている。
【０００８】
このような構成によれば、上記読取対象物を上記撮像素子によって一括して撮像することが可能である。このため、上記読取対象物とイメージセンサモジュールとを相対的に走査させる必要が無い。したがって、上記読取対象物を読み取る時間を従来１０秒以上であったものを１秒以下へと大幅に短縮することができる。
【０００９】
本発明の好ましい実施の形態においては、上記基板は、長矩形状とされており、上記撮像素子および上記レンズユニットは、上記基板の中央寄りに配置されており、上記発光手段は、上記基板の両端寄りに配置された１対の光源によって構成されている。このような構成によれば、上記読取対象物の端部周辺を比較的高い照度で照明することが可能である。これは、結像において、画像の端部周辺が画角のｃｏｓ４乗則に従って中央部分よりも暗くなってしまうことを回避するのに適している。
【００１０】
本発明の好ましい実施の形態においては、上記各光源は、複数のＬＥＤ素子を含んでいる。このような構成によれば、省電力かつ高輝度である発光手段を構成することができる。また、ＬＥＤ素子は、比較的小サイズであるため、上記基板の両端寄り部分などに配置するのに適している。
【００１１】
本発明の好ましい実施の形態においては、上記レンズユニットは、画角が１５０°以上の上記レンズ群を備え、かつその歪が±２％以下である。このような構成によれば、たとえばＡ４サイズの原稿など広い領域に記載された内容を、鮮明な画像データとして読み取ることが可能である。また、このイメージセンサモジュールを用いた画像読取装置の薄型化にも有利である。
【００１２】
本発明の好ましい実施の形態においては、上記レンズ群は、複数枚の発散レンズからなる発散レンズ群を含んでおり、上記発散レンズは、凹レンズであるとともに、各々の凹レンズの入射面が中心から周部に向うほど曲率が大きくなる非球面であり、かつ出射側が実質的に凹球面である。このような構成によれば、上記レンズユニットを広角かつ歪が小である構成とするのに適している。
【００１３】
本発明の好ましい実施の形態においては、上記発散レンズ群は、３枚の発散レンズによって構成されている。このような構成によれば、上記レンズユニットの広角化および歪解消に好適である。
【００１４】
本発明の第２の側面によって提供される画像読取装置は、本発明の第１の側面によって提供されるイメージセンサモジュールを備えていることを特徴としている。このような構成によれば、上記イメージセンサモジュールと上記読取対象物とを相対的に走査させるための機構を備える必要が無い。したがって、読取時間の大幅な短縮化が可能であるとともに、上記画像読取装置の小型化および低コスト化を図ることができる。
【００１５】
本発明の好ましい実施の形態においては、上記レンズユニットに対して上記発光手段よりも離間した位置に配置された反射部材またはプリズムを備えている。このような構成によれば、上記発光手段からの光を上記読取対象物の全体に照射することが可能である。
【００１６】
本発明のその他の特徴および利点は、添付図面を参照して以下に行う詳細な説明によって、より明らかとなろう。
【発明を実施するための最良の形態】
【００１７】
以下、本発明の好ましい実施の形態につき、図面を参照して具体的に説明する。
【００１８】
図１および図２は、本発明に係るイメージセンサモジュールおよびこれを用いた画像読取装置の第１実施形態を示している。同図に示された画像読取装置Ｂ１は、イメージセンサモジュールＡ１と、ケース６０、カバー６１、透明板６２、および反射部材６３とを備えて構成されている。画像読取装置Ｂ１は、読取対象物である原稿Ｄｃの記載内容を画像データとして読み取るためのものである。
【００１９】
イメージセンサモジュールＡ１は、基板１、撮像素子２、レンズユニット３、発光手段４、制御ＩＣ５１、およびメモリチップ５２を具備している。イメージセンサモジュールＡ１は、画像読取装置Ｂ１において、原稿Ｄｃによって反射された光を受光することにより、原稿Ｄｃの記載内容を画像データとして復元する機能を有している。
【００２０】
基板１は、たとえばプリント配線基板であり、図２に示すように長矩形状とされている。基板１は、銅などからなる金属配線層と樹脂層とが積層された構造を有する。基板１の中央部分には、撮像素子２およびレンズユニット３が実装されている。基板１の両端寄り部分には、発光手段４が実装されている。基板１のうちレンズユニット３と発光手段４の図中右側に配置されたものとの間の部分には、制御ＩＣ５１およびメモリチップ５２が実装されている。
【００２１】
撮像素子２は、たとえばＣＣＤ型やＣＭＯＳ型と呼ばれるものであり、受光部２０を有している。図３に示すように、受光部２０は、矩形状とされており、複数の受光要素２０ａによって構成されている。複数の受光要素２０ａは、マトリクス状に配置されている。本実施形態においては、受光部２０は、７，０１６個×５，１０２個の受光要素２０ａによって構成されており、約１４ｍｍ×約１０ｍｍのサイズとされている。これにより、撮像素子２は、Ａ４サイズの原稿Ｄｃを６００ＤＰＩの解像度で読取可能である。各受光要素２０ａは、２μｍ角のサイズとされている。受光部２０が光を受けると、各受光要素２０ａごとの受光量に対応した出力レベルの画像信号が撮像素子２から出力される。
【００２２】
レンズユニット３は、原稿Ｄｃから進行してきた光を透過および屈折させることにより撮像素子２の受光部２０上に原稿Ｄｃの記載内容を結像させるためのものであり、図４に示すようにホルダ３０、レンズ群３１、フィルタ３２を備えている。ホルダ３０は、基板１に固定されており、遮光性を有する黒色あるいはそれに近い暗色の合成樹脂製である。ホルダ３０は、レンズ群３１およびフィルタ３２を保持するためのものである。
【００２３】
レンズ群３１は、複数のレンズ３１Ａ，３１Ｂ，３１Ｃ，３１Ｄ，３１Ｅ，３１Ｆ，３１Ｇからなり、広角でありかつ歪が小である結像を可能に構成されている。複数のレンズ３１Ａ，３１Ｂ，３１Ｃは、原稿Ｄｃ側に配置されており、いずれも凹レンズとされている。複数のレンズ３１Ａ，３１Ｂ，３１Ｃは、平行光を広がらせる作用を発揮する、いわゆる発散レンズと呼ばれるものである。複数のレンズ３１Ａ，３１Ｂ，３１Ｃの入射面３１Ａａ，３１Ｂａ，３１Ｃａは、中心から周部に向うほど曲率が大きくなる非球面となっており、出射面３１Ａｂ，３１Ｂｂ，３１Ｃｂは、凹球面となっている。なお、この凹球面は、正確な球面となっていることが最も望ましいが、色消しや収差修正のためにわずかに球面からずれた形状となっていてもよく、実質的に凹球面であればよい。
【００２４】
複数のレンズ３１Ｄ，３１Ｅ，３１Ｆ，３１Ｇは、入射光を焦点に結ばせる、いわゆる収束レンズと呼ばれるものである。レンズ３１Ｄは、原稿Ｄｃ側および撮像素子２側の双方が凸面とされた両凸型レンズである。レンズ３１Ｅは、原稿Ｄｃ側に凸面、撮像素子２側に平面を有するレンズである。レンズ３１Ｆ，３１Ｇは、非球面３１Ｆａ，３１Ｆｂ，３１Ｇａ，３１Ｇｂを有している。非球面３１Ｆａ，３１Ｇａは、いずれも凸面とされており、非球面３１Ｆｂ，３１Ｇｂは、いずれも凹面とされている。レンズユニット３は、原稿Ｄｃ上に等間隔で配置された部分からの光を、受光部２０上において等間隔で結像させることが可能に構成されている。本実施形態においては、レンズユニット３の画角は、約１６０〜１７０°程度とされている。複数のレンズ３１Ａ，３１Ｂ，３１Ｃ，３１Ｄ，３１Ｅ，３１Ｆ，３１Ｇの仕様を表１に示す。
【００２５】
【表１】
2007235942.tif 000003
【００２６】
ここで、レンズ３１Ａ，３１Ｂ，３１Ｃの発散レンズは、画角を拡大して原稿からの光線を大きく絞り込む役割を果たすレンズであり、取得画像の色滲みをできるだけ少なくするためには、アッベ数ができるだけ大きな材質のものが望ましい。表１中のこれらのレンズ３１Ａ，３１Ｂ，３１Ｃのアッベ数７１．２は、低分散ガラスによるモールドレンズによって実現することができる。一方、レンズ３１Ｅ，３１Ｆ，３１Ｇは、それ自体で歪みの少ない画像を結像させることができる組み合わせを採用することができる。また、レンズ３１Ｄは、上記の発散レンズ群によって発散させつつ大画角から絞り込んだ光線を収束させ、結像のためのレンズ３１Ｅ，３１Ｆ，３１Ｇに入射させる役割を果たすものであり、発散レンズ３１Ａ，３１Ｂ，３１Ｃに対してアッベ数の低い材料によるレンズを採用することが、発散レンズ３１Ａ，３１Ｂ，３１Ｃによって生じる画像の色滲みを修正する上で望ましい。表１中のこのレンズ３１Ｄのアッベ数は、ボリカーボネイト等の樹脂材料のレンズによって実現できる。このようなレンズ群を用いることにより、レンズユニット３は、その歪が−０．７１％程度とされている。なお、本発明に係るイメージセンサモジュールに用いられるレンズユニットとしては、その画角が１５０°以上、その歪が±２％以下であることが望ましい。
【００２７】
フィルタ３２は、所定の波長の光を遮断するためのものであり、たとえば赤外線遮断フィルタである。また、フィルタ３２は、撮像素子２を保護する役割を有する。
【００２８】
発光手段４は、原稿Ｄｃに向けて光を照射するためのものであり、図１および図２に示すように１対ずつのＬＥＤ素子４１Ｂ，４１Ｇ，４１Ｒによって構成されている。１対ずつのＬＥＤ素子４１Ｂ，４１Ｇ，４１Ｒは、基板１の両端寄りに分けて配置されている。ＬＥＤ素子４１Ｂ，４１Ｇ，４１Ｒは、それぞれ青色光、緑色光、赤色光を発光可能とされている。
【００２９】
制御ＩＣ５１は、演算処理回路が作り込まれた半導体チップであり、基板１に搭載された撮像素子２および発光手段４の駆動制御、メモリチップ５２へのデータ転送、およびイメージセンサモジュールＡ１または画像読取装置Ｂ１外とのデータ送受を行う。制御ＩＣ５１には、Ａ／Ｄ変換部が備えられている。このＡ／Ｄ変換部は、撮像素子２から出力された画像信号をアナログ信号からデジタル信号へと変換する。上記Ａ／Ｄ変換部によってデジタル化された画像データは、メモリチップ５２へと出力される。メモリチップ５２は、たとえばフラッシュメモリであり、制御ＩＣ５１によって構成された画像データや補正用のデータを記憶するためのものである。
【００３０】
制御ＩＣ５１には、画像データの補正回路が備えられている。この補正回路は、撮像素子２に固有の明度の偏りなどを補正する機能と、画像データに含まれるノイズを除去する機能とを有している。撮像素子２に固有の補正は、たとえば、メモリチップ５２にあらかじめ記憶させた補正データを利用して、デジタル化された画像データを適正なレベルとすることにより行われる。この補正は、白、黒の２レベルまたは３レベルについて行う。
【００３１】
画像データに含まれるノイズの除去は、複数回撮影した画像データを用いて平均化処理することにより行われる。たとえば各画素の階調を１２ビットで表現する場合に、メモリチップ５２において各画素について１５ビットの記憶領域を設定する。計８回分の各画素のデータを上記記憶領域に加算する。そして、上記記憶領域のうち上位１２ビットに格納されたデータを画素データとして取り出す。これにより、８回の撮像結果を平均化した画像データが得られる。また、上記画像データ中に欠陥画素を検出した場合には、この欠陥画素周辺の複数の画素データを用いた内挿処理を行い、上記欠陥画素に代えて処理後の画素データを用いる。
【００３２】
制御ＩＣ５１とメモリチップ５２とのデータ送受は、１ビットのシリアル入出力によってなされている。これにより、制御ＩＣ５１とメモリチップ５２とを接続する配線数を削減することができる。
【００３３】
ケース６０は、樹脂製の箱状であり、イメージセンサモジュールＡ１、２つの反射部材６３を収容している。カバー６１は、ケース６０に対して回動可能に取り付けられており、原稿Ｄｃを押さえるためのものである。透明板６２は、たとえば透明樹脂製であり、ケース６０に取付けられている。透明板６２は、原稿Ｄｃを平らな状態で載置するための部分である。
【００３４】
２つの反射部材６３は、イメージセンサモジュールＡ１を挟んでケース６０の両側内面に取付けられている。反射部材６３は、たとえばアルミ製であり、反射率が高い面を有している。反射部材６３は、複数のＬＥＤ素子４１Ｂ，４１Ｒ，４１Ｇからの光を反射して、図２における図中上下方向および左右方向に広げる構成とされている。
【００３５】
次に、イメージセンサモジュールＡ１および画像読取装置Ｂ１の作用について説明する。
【００３６】
本実施形態によれば、原稿Ｄｃの記載内容を撮像素子２によって一括して撮像することが可能である。このため、上述した従来技術による構成と異なり、原稿ＤｃとイメージセンサモジュールＡ１とを相対的に走査させる必要が無い。したがって、原稿Ｄｃの記載内容を極めて短い時間で画像データとして取り込むことができる。また、画像読取装置Ｂ１には、イメージセンサモジュールＡ１または原稿Ｄｃを走査させるための機構を設ける必要が無い。したがって、画像読取装置Ｂ１の小型化および低コスト化を図ることができる。
【００３７】
レンズユニット３は、入射面３１Ａａ，３１Ｂａ，３１Ｃａが上記したように中心から周部に向うほど曲率が大きくなる非球面であり、出射面が実質的に凹球面とされた発散レンズ群を備えることにより広角でありかつ歪が少ない結像をすることが可能である。これにより、レンズユニット３を原稿Ｄｃに対して比較的近い位置に配置することが可能である。したがって、画像読取装置Ｂ１の薄型化を図ることができる。
【００３８】
イメージセンサモジュールＡ１は、長矩形状の基板１を用いて構成されているため、図２に示すように２次元的に広がった形状とはならない。これは、画像読取装置Ｂ１のケース６０内にその他の電子部品などを搭載するためのスペースを確保するのに有利である。
【００３９】
基板１の両端寄りに複数のＬＥＤ素子４１Ｂ，４１Ｇ，４１Ｒを配置することにより、原稿Ｄｃの両端寄り部分を比較的高い照度で照明することが可能である。レンズユニット３は、広角であるため画角端に寄るほど受光部２０での光量が小さくなる。原稿Ｄｃの両端寄りを高照度で照明することにより、受光部２０の端部付近での光量不足を回避することが可能である。したがって、均一な明るさの画像データを取り込むのに適している。また、反射部材６３によって、複数のＬＥＤ素子４１Ｂ，４１Ｇ，４１Ｒからの光を原稿Ｄｃの全面へと行き渡らせることが可能である。これは、上記画像データを均一な明るさとするのに好ましい。
【００４０】
図５は、本発明に係るイメージセンサモジュールおよび画像読取装置の第２実施形態を示している。なお、本図においては、上述した実施形態と同一または類似の要素には、上記実施形態と同一の符号を付している。本実施形態の画像読取装置Ｂ２には、上述した反射部材６３が設けられていない。一方、イメージセンサモジュールＡ２には、２つのプリズム４１が設けられている。これらの点が、上述した実施形態と異なっている。
【００４１】
２つのプリズム４１は、それぞれがＬＥＤ素子４０Ｂ，４０Ｇ，４０Ｒの図中上方に配置されている。プリズム４１は、たとえば透明樹脂からなり、ＬＥＤ素子４０Ｂ，４０Ｇ，４０Ｒからの光を透過および屈折させることにより、原稿Ｄｃの全面に向けて出射可能に構成されている。また、ＬＥＤ素子４０Ｂ，４０Ｇ，４０Ｒおよびプリズム４１は、ケース６０の側面よりもレンズユニット３寄りに配置されている。これにより、本実施形態の基板１は、上述した実施形態の基板１よりも長手方向寸法が小とされている。
【００４２】
このような実施形態によっても、原稿Ｄｃの全面を適切に照明することが可能であり、原稿Ｄｃの記載内容を鮮明な画像データとして読み取ることができる。また、プリズム４１の形状を適宜変更することにより、原稿Ｄｃの所望の部分を特に高い照度で照明するといったことも可能である。また、基板１の長手方向寸法を小とすることにより、画像読取装置Ｂ１の小型化や、イメージセンサモジュールＡ２以外の電子部品の搭載スペースの確保などが可能となっている。
【００４３】
本発明に係るイメージセンサモジュールおよび画像読取装置は、上述した実施形態に限定されるものではない。本発明に係るイメージセンサモジュールおよび画像読取装置の各部の具体的な構成は、種々に設計変更自在である。
【００４４】
本発明で言う基板としては、プリント配線基板に代えて、いわゆるリジッド基板あるいはセラミック基板を用いてもよい。撮像素子としては、ＣＣＤ型およびＣＭＯＳ型と呼ばれるものに限定されず、２次元の光を一括して撮像可能に構成されたものであればよい。レンズユニットの構成は、上述した実施形態に限定されない。レンズユニットに含まれるレンズの枚数や、各レンズの仕様は、適宜変更可能であり、広角かつ歪が小である結像が可能な構成であればよい。発光手段としては、複数のＬＥＤ素子に限定されず、読取対象物を適切に照明可能な構成であればよい。
【図面の簡単な説明】
【００４５】
【図１】本発明に係るイメージセンサモジュールおよび画像読取装置の第１実施形態を示す断面図である。
【図２】図１のＩＩ−ＩＩ線に沿う断面図である。
【図３】図１に示すイメージセンサモジュールに用いられる撮像素子を示す斜視図および要部拡大図である。
【図４】図１に示すイメージセンサモジュールに用いられるレンズユニットを示す断面図である。
【図５】本発明に係るイメージセンサモジュールおよび画像読取装置の第２実施形態を示す断面図である。
【図６】従来のイメージセンサモジュールおよび画像読取装置の一例を示す断面図である。
【符号の説明】
【００４６】
Ａ１，Ａ２      イメージセンサモジュール
Ｂ１，Ｂ２      画像読取装置
Ｄｃ    原稿
１      基板
２      撮像素子（光電変換手段）
３      レンズユニット（光学系）
４      発光手段
２０    受光部
２０ａ  受光要素
３０    ホルダ
３１    レンズ群
３１Ａ，３１Ｂ，３１Ｃ，３１Ｄ，３１Ｅ，３１Ｆ  レンズ
３１Ａａ，３１Ｂａ，３１Ｃａ  非球面状の入射面
３２    フィルタ
４０Ｂ，４０Ｇ，４０Ｒ  ＬＥＤ素子（光源）
４１    プリズム
５１    制御ＩＣ
５２    メモリチップ
６０    ケース
６１    カバー
６２    透明板
６３    反射部材
【図１】
2007235942.tif 000004
【図２】
2007235942.tif 000005
【図３】
2007235942.tif 000006
【図４】
2007235942.tif 000007
【図５】
2007235942.tif 000008
【図６】
2007235942.tif 000009